(57)【要約】【課題】既製杭を利用してコスト削減を図りつつ、建築物の階層構造に柔軟に対応可能とすること。【解決手段】建築物の階層を構成する床スラブ上に構築され、直上階の床スラブを支持する支持構造において、前記直上階の床スラブを支持する柱の少なくとも下部を構成する既製杭部と、前記既製杭部と前記直上階の床スラブとの間の部分を構成する接続部と、を備え、前記既製杭部は、階高より短い既製杭で構成される、ことを特徴とする。【選択図】図１
2015021368.tif 000002
【特許請求の範囲】
【請求項１】
建築物の階層を構成する床スラブ上に構築され、直上階の床スラブを支持する支持構造において、
前記直上階の床スラブを支持する柱の少なくとも下部を構成する既製杭部と、
前記既製杭部と前記直上階の床スラブとの間の部分を構成する接続部と、を備え、
前記既製杭部は、
階高より短い既製杭で構成される、
ことを特徴とする支持構造。
【請求項２】
前記既製杭の先端には、ネジ孔が形成されており、
前記接続部は、前記ネジ孔を利用して前記先端に接合される、
ことを特徴とする請求項１記載の支持構造。
【請求項３】
前記既製杭の柱脚部分がピン接合又は半剛接合される、
ことを特徴とする請求項１記載の支持構造。
【請求項４】
前記既製杭と前記接続部とが、ピン接合又は半剛接合される、
ことを特徴とする請求項１記載の支持構造。
【発明の詳細な説明】
【技術分野】
【０００１】
本発明は柱による床スラブの支持構造に関する。
【背景技術】
【０００２】
一般に建築物の柱は、建築物毎に設計、製作及び施工され、その建築物固有のものである場合が多い。したがって基本的に特注品となり、コストアップの要因となる。そこで、柱をＰＣａ部材を用いて構成することが提案されており（特許文献１乃至６）、特に、特許文献１には既製杭を用いるものが提案されている。
【先行技術文献】
【特許文献】
【０００３】
【特許文献１】特開平５−１８１３８号公報
【特許文献２】特開２０１０−１２７０３１号公報
【特許文献３】特開２００６−１２４９８７号公報
【特許文献４】特許第５００６５８号公報
【特許文献５】特開２００８−６３７８８号公報
【特許文献６】特開２００４−１０８０９１号公報
【発明の概要】
【発明が解決しようとする課題】
【０００４】
しかし、特許文献１のものは、既製杭の途中部位に梁支持用のブラケットを取り付ける構成であり、倉庫やショッピングセンターのように階高が比較的高い多層階建築物においては、複数の既製杭を上下に連結する必要があるところ、階層によってブラケットの取付部位や連結部位が異なって、設計や施工に手間がかかる場合があり、取付部位や連結部位を揃えようとすると、既製杭の切断等が必要となり、既製杭を利用したメリットが薄れる。
【０００５】
本発明の目的は、既製杭を利用してコスト削減を図りつつ、建築物の階層構造に柔軟に対応可能とすることにある。
【課題を解決するための手段】
【０００６】
本発明によれば、建築物の階層を構成する床スラブ上に構築され、直上階の床スラブを支持する支持構造において、前記直上階の床スラブを支持する柱の少なくとも下部を構成する既製杭部と、前記既製杭部と前記直上階の床スラブとの間の部分を構成する接続部と、を備え、前記既製杭部は、階高より短い既製杭で構成される、ことを特徴とする支持構造が提供される。
【発明の効果】
【０００７】
本発明によれば、既製杭を利用してコスト削減を図りつつ、建築物の階層構造に柔軟に対応可能とすることができる。
【図面の簡単な説明】
【０００８】
【図１】（Ａ）は実施形態に係る支持構造の説明図、（Ｂ）は既製杭の端部の斜視図、（Ｃ）は柱脚部分の接合構造の説明図。
【図２】（Ａ）は別実施形態に係る支持構造の説明図、（Ｂ）〜（Ｄ）は施工手順の説明図。
【図３】（Ａ）及び（Ｂ）は別実施形態に係る支持構造の説明図。
【図４】（Ａ）は別実施形態に係る支持構造の説明図、（Ｂ）はピン接合部分の分解図。
【図５】（Ａ）及び（Ｂ）は別実施形態の説明図。
【図６】（Ａ）及び（Ｂ）は別実施形態の説明図。
【図７】（Ａ）及び（Ｂ）は別実施形態の説明図。
【発明を実施するための形態】
【０００９】
＜第１実施形態＞
図１（Ａ）は本発明の一実施形態に係る支持構造１の説明図であり、支持構造１の一部を断面で示した立面図である。同図の例は、支持構造１を建築物の１階部分に適用した例を示し、一階部分の床スラブ２上に構築されて、直上階である２階部分の床スラブ３を支持するものである。なお、支持構造１は、建築物の１階部分に限られず、２階以上の階層に適用することも可能である。支持構造１が適用される建築物としては、倉庫やショッピングセンタ等、比較的階高が高い建物を挙げることができる。
【００１０】
支持構造１は、大別すると、既製杭部１ａと接続部１ｂとから構成されている。既製杭部１ａは既製杭１０から構成される部分であり、１階部分の柱の少なくとも下部を構成する。本実施形態の場合、１階部分の柱の下端から半分以上が既製杭１０により構成されている。接続部１ｂは、既製杭部１ａと直上階の床スラブ３との間の部分を構成する。
【００１１】
既製杭１０は、市販の定尺の既製杭の中から選択された、階高ｈより短い既製杭を採用できる。既製杭としては、ＰＨＣ杭やＲＣ杭等のＰＣａ杭を挙げることができる。本実施形態の場合、既製杭１０は円筒状のものであり、図１（Ｂ）に示すように、その端部に環状の杭頭座板１０１が装着されており、杭頭座板１０１にはネジ孔１０１ａが複数形成されている。
【００１２】
既製杭１０の柱脚部分の接合構造は剛接合、半剛接合、ピン接合のいずれでもよい。図１（Ｃ）はピン接合の例を示している。同図の例では、床スラブ２の表面に凹部２ａが形成されており、既製杭１０の下端をこの凹部２ａに配置して、建方後に凹部２ａにモルタルを充填する床内埋設構造としている。
【００１３】
既製杭１０の下端と凹部２ａの底部との間には、鉄ダンゴ等のレベル調整具が配置されている。レベル調整具により既製杭１０のレベル調整を行うことができ、また、既製杭１０と床スラブ２との軸力伝達を行う構成である
接続部１ｂは本実施形態の場合、鉄骨部材１１から構成されている。鉄骨部材１１は、鋼管柱部分１１１と、鋼管柱部分１１１から水平方向に延びる複数の梁部分１１４と、を備え、柱−梁接合部を構成している。鋼管柱部分１１１は本実施形態の場合、筒状体をなしており、特に円筒体であるが角筒体でもよい。また、鋼管柱ではなく、Ｈ型鋼等でもよい。
【００１４】
鋼管柱部分１１１の下端にはベース板１１２が固定されている。ベース板１１２は既製杭１０ｂとの接続金物を構成しており、本実施形態では、１階部分の柱が既製杭１０と鋼管柱部分１１とを上下に接合した複合柱を構成している。ベース板１１２にはネジ孔１０１ａに対応する各位置に孔（不図示）が形成されている。これらの孔にボルト１２をそれぞれ挿通してネジ孔１０１ａに締結することで、既製杭１０と鉄骨部材１１とが剛接合される。一般に既製杭１０にはこのようなネジ孔１０１ａが形成されていることから、これを利用することで既製杭１０の加工無で鉄骨部材１１と既製杭１０との接合を行える。
【００１５】
鋼管柱部分１１１の上端には水平板１１３が固定されている。この水平板１１３上には２階部分の柱を構成する既製杭１０を立設することができる。水平板１１３の中央には挿入部１１５が形成されている。本実施形態の場合、挿入部１１５は、既製杭１０の内径よりも小径の筒状体であり、２階部分の柱を構成する既製杭１０へ挿入可能となっている。
【００１６】
挿入部１１５は、２階部分の柱を構成する既製杭１０を施工する際のガイドとして利用することができると共に、鋼管柱部分１１１と、２階部分の柱を構成する既製杭１０との接合をピン接合とすることができ、２階部分の柱がその下端周りに回転することを許容する構造とすることができる。
【００１７】
係る構成からなる支持構造１では、１階部分の柱として既製杭１０を用いることで、コスト削減を図ることができる。既製杭１０は階高ｈよりも短いので、一部を切断して長さを調整する必要がない等、ほとんど市販品のままの状態で利用することができる。本実施形態のように、既製杭１０が柱の過半部分を構成するものとすることで、コスト削減効果を高めることができる。
【００１８】
既製杭１０は階高ｈよりも短いが、階高に足して高さが不足する部分は接続部１１の構成でこれを補うことができる（以下、全体高さ調整という）。この接続部１１は基本的に建築物固有のものとなるが、接続部１１により製作・施工誤差を吸収することができ、また、支持する床スラブ３の構成や接合態様に合わせた設計が可能となる。したがって、建築物の階層構造に柔軟に対応可能とすることができる。
【００１９】
なお、施工誤差の吸収の具体例としては、例えば、既製杭１０と鉄骨部材１１との間に挿入する座金の枚数や、勾配付き座金の利用、或いは、ボルト孔をルーズホールにすること等が挙げられる。また、既製杭１０の柱脚部分の接合構造を半剛接合やピン接合とした場合、その接合部分で誤差を吸収することも可能である。
【００２０】
本発明は本実施形態に限られることはなく様々な実施形態を構成でき、その一例を以下に説明する。各実施形態は適宜組み合わせ可能である。
【００２１】
＜第２実施形態＞
上記第１実施形態の構成において、既製杭１０や鋼管柱部分１１１の内部にはコンクリートを充填してもよい。図２（Ａ）はその一例を示す。同図の例では既製杭１０や鋼管柱部分１１１の内部にコンクリートＣが充填されている。コンクリートＣの充填作業は、例えば、床スラブ３のコンクリートを現場打ちする場合には、その打設時に同時に行うことができる。そのために、水平板１１３には開口部１１３ａが、ベース板１１２には開口部１１２ａがそれぞれ形成されている。よって、挿入部１１５から生コンクリートを流し込むことで、既製杭１０や鋼管柱部分１１１の内部に生コンクリートを充填できる。なお、コンクリートＣの充填作業は、床スラブ３のコンクリートの打設に先立って行ってももちろん構わない。
【００２２】
鋼管柱部分１１１と、２階部分の柱を構成する既製杭１０との接合をピン接合とする場合、挿入部１１５の周囲にコンクリートが充填されることは好ましくない。そこで、本実施系他では、挿入部１１５の周囲にコンクリートの充填を妨げる充填材１１５を充填している。充填材１１５は、２階部分の柱の回転を許容するように変形できるものであれば何でもよいが、例えば、発泡プラスチックや、グラスウール等の柔軟性を有する材料が好ましく、その帯状体を挿入部１１５の周囲に巻き回して隙間を詰めるように配置してもよい。
【００２３】
柔軟材１１５は、例えば、１階部分の既製杭１０や鋼管柱部分１１１に対するコンクリートの充填作業が完了した後（図２（Ｂ））、図２（Ｃ）に示すように挿入部１１５と既製杭１０内部の隙間や挿入部１１５の上側に配設される。このように柔軟材１１５を配置しておくことで、その後、図２（Ｄ）に示すように２階部分の既製杭１０内に生コンクリートＣが充填されても、挿入部１１５の周囲への充填を回避することができる。
【００２４】
＜第３実施形態＞
既製杭１０の柱脚の接合構造を剛接合した例について図３（Ａ）を参照して説明する。同図の例は、１階部分の既製杭１０と床スラブ２との接合及び鉄骨部材１１と二階部分の既製杭１０との接合を鉄筋籠６により行う例を示しており、１階部分と２階部分とでそれぞれ支持構造１を構築する場合を想定している。骨部材１１は挿入部１１５が無い構成とされている以外は第２実施形態と同様である。
【００２５】
まず、１階部分の既製杭１０と床スラブ２との接合については、床スラブ２の施工時に鉄筋籠６を配設しておき、既製杭１０は鉄筋籠６が内部に挿入されるようにして配設される。また、鉄骨部材１１の配設後、開口部１１３ａに鉄筋籠６を挿入して適当な方法で支持しておく。床スラブ３のコンクリートを現場打ちする場合には、その打設時に同時に、開口部１１３ａから既製杭１０や鋼管柱部分１１１の内部に生コンクリートを充填する。
【００２６】
２階部分の既製杭１０と床スラブ３及び鉄骨部材１１との接合については、床スラブ３の施工後、床スラブ３から突出した鉄筋籠６が内部に挿入されるように既製杭１０を配設し、２階部分の支持構造１を構築する。その後、１階部分と同様の手順で既製杭１０内等に生コンクリートを充填する。
【００２７】
＜第４実施形態＞
支持対象の床スラブがフラットスラブの場合の適用例について図３（Ｂ）を参照して説明する。同図の例において、既製杭１０の構成は上記各実施形態と同様である。接続部１ｂは、鉄骨部材１１とＲＣ造のキャピタル３ａとにより構成される。
【００２８】
鉄骨部材１１は、鋼管柱部分１１１と、鋼管柱部分１１１の下端のベース板１１２と、鋼管柱部分１１１の上端の水平板（トップ板）１１３と、から構成されており、梁部分１１４は無い。ベース板１１２と水平板１１３とには、開口部１１２ａ及び開口部１１３ａをそれぞれ設けており、既製杭１０と鋼管柱部分１１１との内部にコンクリートＣを充填する構成としている。無論、既製杭１０と鋼管柱部分１１１との内部にコンクリートＣを充填しない構成も採用可能であり、この場合は、開口部１１２ａ及び開口部１１３ａは不要である。
【００２９】
水平板１１３の上面にはスタッド１１４が立設されている。スタッド１１４は例えば鉄筋等の鋼棒である。水平板１１３はスタッド１１４を介してキャピタル３ａに剛接合される。床スラブ３及びキャピタル３ａのコンクリートを現場打ちする場合には、その打設時に同時に、開口部１１３ａから既製杭１０や鋼管柱部分１１１の内部に生コンクリートを充填することができる。もちろん、床スラブ３等の打設に先立って充填しても構わない。
【００３０】
このように床スラブの種類が異なる構造においても、接続部１ｂの構成を変えるだけで対応でき、建築物の階層構造に柔軟に対応可能とすることができる。
【００３１】
＜第５実施形態＞
既製杭１０（既製杭部１ａ）と接続部１ｂとの接合は、ピン接合又は半剛接合であってもよい。図４（Ａ）はピン接合とした例を示し、図４（Ｂ）はピン接合部分の分解図を示す。同図の例において、既製杭１０の先端は、皿状の鋼製キャップ（代表的にはF.T.キャップ）１４で被覆されている。鋼製キャップ１４は、例えば、杭頭座板１０１のネジ孔を利用して既製杭１０の先端に固定することができる。
【００３２】
接続部１ｂは、ＰＣａ部材１３、梁鉄骨部材６、型枠１５ａ及び鉄筋コンクリート部１５により構成される。鉄筋コンクリート部１５の配筋は図示を省略している。
【００３３】
ＰＣａ部材１３は方形板状に形成され、その底面には円形の凹部１３１が形成されている。凹部１３１は鋼製キャップ１４を挿入可能な大きさを有しており、鋼製キャップ１４の上面は凹部１３１の底面に当接する。
【００３４】
梁鉄骨部材６はＩ型鋼を十字状に接続した構成とされている。ＰＣａ部材１３の上面には複数のレベル調整具１３２が配設されている。レベル調整具１３２は、ＰＣａ部材１３に立設されたネジ節鉄筋やボルト等のネジ棒１３２ａと、ネジ棒１３２ａに螺着されるナット１３２ｂと、から構成されている。梁鉄骨部材６には、ネジ棒１３２ａは通過するがナット１３２ｂは通過できない孔（不図示）が形成されており、この孔にネジ棒１３２ａが挿入される。ネジ棒１３２ａに対するナット１３２ｂの位置を調整することで、梁鉄骨部材６のレベル調整が可能である。
【００３５】
なお、梁鉄骨部材６のレベル調整は、その端部を支保工で支持しておこなってもよい。また、施工にあたっては、梁鉄骨部材６、ＰＣａ部材１３、及び、レベル調整具１３２を一体化して建方してもよい。
【００３６】
型枠１５ａは鉄筋コンクリート部１５のコンクリート打設用型枠であり、ＰＣａ部材１３と床スラブ３との間の空隙をコンクリートで埋めるために用いられる。レベル調整具１３２により形成される、梁鉄骨部材６とＰＣａ部材１３上面との隙間もコンクリートで埋められる。型枠１５ａは埋め込みとするが打設後に撤去する方式でもよい。また、型枠１５ａをＰＣａ部材としてもよい。
【００３７】
以上の構成からなる本実施形態の支持構造１では、既製杭部１ａと接続部１ｂとの間がピン接合であるので、軸力は伝達されるものの、構成キャップ１４と凹部１３１との間で固定曲げモーメントの伝達が抑制され、柱に作用する曲げモーメントを抑制することができる。これにより、柱が太くなりすぎず、現に流通している既製品としての既製杭１０を利用し易くなり、また、比較的軽量な製品で柱を構築できる。
【００３８】
また、ＰＣａ部材１３の設計で階高に対応した全体高さ調整を行い、レベル調整具１３２で製造・施工誤差等を吸収できる。
【００３９】
＜第６実施形態＞
上記第６実施形態の構成において、既製杭１０の内部にはコンクリートを充填してもよい。図５（Ａ）はその一例を示す。同図の例では既製杭１０の内部にコンクリートＣが充填されている。コンクリートＣの充填作業は、例えば、鉄筋コンクリート１５のコンクリート打設作業と同時に行うことができる。また、床スラブ３のコンクリートを現場打ちする場合には、これらの作業を同時に行うことができる。そのために、鋼製キャップ１４には開口部１４１が、ＰＣａ部材１３には開口部１３３が、それぞれ形成されている。型枠１５ａ内に生コンクリートが充填されると、これらの開口部１３３１４１を通って既製杭１０の内部に生コンクリートが充填されることになる。なお、コンクリートＣの充填作業は、鉄筋コンクリート１５のコンクリート打設や床スラブ３のコンクリートの打設に先立って行ってももちろん構わない。
【００４０】
＜第７実施形態＞
支持対象の床スラブがフラットスラブの場合の第５実施形態の適用例について図５（Ｂ）を参照して説明する。同図の例において、既製杭１０及び鋼製キャップ１４の構成は第５実施形態と同様である。接続部１ｂは、ＰＣａ部材１３、型枠１５ａ及び鉄筋コンクリート部１５により構成される。
【００４１】
本実施形態の場合、梁鉄骨部材６が存在しないため、ＰＣａ部材１３はレベル調整具１３２を備えていないが、ＰＣａ部材１３のその余の構成は第５実施形態と同様である。型枠１５ａ及び鉄筋コンクリート部１５も同様であり、これらとＰＣａ部材１３がキャピタルを構成している。ＰＣａ部材１３の設計で階高に対応した全体高さ調整を行い、製造・施工誤差は、型枠１５ａ及び鉄筋コンクリート部１５で吸収可能である。
【００４２】
床スラブ３のコンクリートを現場打ちする場合には、鉄筋コンクリート１５のコンクリート打設作業を同時に行うことができる。もちろん、床スラブ３の打設に先立っておこなってもよい。なお、本実施形態においても、第６実施形態のように既製杭１０の内部にコンクリートを充填してもよい。
【００４３】
＜第８実施形態＞
支持対象の床スラブがフラットスラブであって、既製杭部１ａと接続部１ｂとを剛接合した場合について図６（Ａ）を参照して説明する。
【００４４】
既製杭部１ａは既製杭１０により構成されており、これは上記各実施形態と同様の構成である。既製杭１０の先端には複数の鋼棒１６が固定されている。鋼棒１６は例えば鉄筋であり、既製杭１０の先端から上方に突出している。鋼棒１６の既製杭１０への固定は例えば杭頭座板１０１のネジ孔を利用できる。
【００４５】
接続部１ｂはＰＣａ部材１３、型枠１５ａ及び鉄筋コンクリート部１５により構成され、これらは第７実施形態と同様の構成であるが、ＰＣａ部材１３はその底面に凹部１３１を備えておらず、底面は平坦である。一方、ＰＣａ部材１３には鋼棒１６が通過する貫通孔１３５が形成されており、鋼棒１６の端部は鉄筋コンクリート部１５に埋設されている。鋼棒１６は床スラブ３まで延ばしても。なお、貫通孔１３５と鋼棒１６との隙間にもコンクリートが充填される。
【００４６】
ＰＣａ部材１３の設計で階高に対応した全体高さ調整を行い、製造・施工誤差は、型枠１５ａ及び鉄筋コンクリート部１５で吸収可能である。
【００４７】
床スラブ３のコンクリートを現場打ちする場合には、鉄筋コンクリート１５のコンクリート打設作業を同時に行うことができる。もちろん、床スラブ３の打設に先立っておこなってもよい。。なお、本実施形態においても、第６実施形態のように既製杭１０の内部にコンクリートを充填してもよい。
【００４８】
＜第９実施形態＞
支持対象の床スラブがフラットスラブであって、既製杭部１ａと接続部１ｂとを半剛接合した場合について図６（Ｂ）を参照して説明する。図６（Ｂ）の例は、図５（Ｂ）の例（第７実施形態）と図６（Ａ）（第８実施形態）の例とを組み合わせた構成となっている。
【００４９】
既製杭１０及び鋼製キャップ１４の構成は第５、第６実施形態と同様であるが、鋼棒１６が鋼製キャップ１４を通過している。
【００５０】
接続部１ｂはＰＣａ部材１３、型枠１５ａ及び鉄筋コンクリート部１５により構成され、これらは第７実施形態と同様の構成であるが、第８実施形態と同様に、ＰＣａ部材１３には鋼棒１６が通過する貫通孔１３５が形成されており、鋼棒１６の端部は鉄筋コンクリート部１５に埋設されている。鋼棒１６は床スラブ３まで延ばしてもよい。
【００５１】
貫通孔１３５と鋼棒１６との隙間には充填材１３５ａが充填されている。充填材１３５ａは、貫通孔１３５と鋼棒１６との隙間にコンクリートが充填されることを回避するために設けられ、鋼棒１６の貫通孔１３５内での水平方向の変位を許容するものであれば何でもよいが、例えば、発泡プラスチックや、グラスウール等の柔軟性を有する材料が好ましく、鋼棒１６の周囲に巻きつけた状態で貫通孔１３５に挿入してもよい。
【００５２】
本実施形態では、鋼製キャップ１４と凹部１３１との間で水平力の伝達が規制されるものの、鋼棒１６の存在により引き抜き力が接続部１ｂと既製杭部１ａとの間で伝達可能となっており、半剛接合となっている。
【００５３】
なお、ＰＣａ部材１３の設計で階高に対応した全体高さ調整を行い、製造・施工誤差は、型枠１５ａ及び鉄筋コンクリート部１５で吸収可能である。床スラブ３のコンクリートを現場打ちする場合には、鉄筋コンクリート１５のコンクリート打設作業を同時に行うことができる。なお、本実施形態においても、第６実施形態のように既製杭１０の内部にコンクリートを充填してもよい。
【００５４】
＜第１０実施形態＞
上記各実施形態では、接続部１ｂにおける全体高さ調整を既製品（鉄骨部材１１、ＰＣａ部材１３）により行ったが、現場制作で全体高さ調整を行う構成でもよい。図７（Ａ）及び図７（Ｂ）はその一例を示す。
【００５５】
図７（Ａ）は支持対象の床スラブがフラットスラブの場合を示す。既製杭部１ａは既製杭１０によって構成されており、これは上記各実施形態と同様の構成である。
【００５６】
接続部１ｂは柱上部１７及びキャピタル部１８から構成されており、いずれも鉄筋１９にコンクリートを現場打ちした鉄筋コンクリート造である。鉄筋１９は既製杭１０の上部から床スラブ３まで配筋されており、既製杭１０の内部にもコンクリートＣが充填されている。階高に対応した全体高さ調整及び製造・施工誤差の吸収は、例えば、柱上部１７の設計と施工で行うことができる。
【００５７】
図７（Ｂ）は支持対象の床スラブがフラットプレートの場合を示す。既製杭部１ａは既製杭１０によって構成されており、これは上記各実施形態と同様の構成である。
【００５８】
接続部１ｂは柱上部１７から構成されており、鉄筋１９にコンクリートを現場打ちした鉄筋コンクリート造である。鉄筋１９は既製杭１０の上部から床スラブ３まで配筋されており、既製杭１０の内部にもコンクリートＣが充填されている。階高に対応した全体高さ調整及び製造・施工誤差の吸収は、例えば、柱上部１７の設計と施工で行うことができる。
【００５９】
＜実施形態のまとめ＞
１．上記実施形態の支持構造1は、建築物の階層を構成する床スラブ2上に構築され、直上階の床スラブ3を支持する支持構造において、前記直上階の床スラブ2を支持する柱の少なくとも下部を構成する既製杭部1aと、前記既製杭部1aと前記直上階の床スラブ2との間の部分を構成する接続部1bと、を備え、前記既製杭部1aは、階高より短い既製杭10で構成される、ことを特徴とする。
【００６０】
２．上記実施形態の支持構造1は、前記既製杭10の先端には、ネジ孔101aが形成されており、前記接続部1bは、前記ネジ孔101aを利用して前記先端に接合される、ことを特徴とする。
【００６１】
３．上記実施形態の支持構造1は、前記既製杭10の柱脚部分がピン接合又は半剛接合される、ことを特徴とする。
【００６２】
４．上記実施形態の支持構造1は、前記既製杭と前記接続部とが、ピン接合又は半剛接合される、ことを特徴とする。
【００６３】
５．上記実施形態の支持構造1は、前記接続部1bが鉄骨部材11を備え、前記既製杭10は筒状体であり、前記直上階の柱の少なくとも下部も前記既製杭10で構成され、前記鉄骨部材11は、前記直上階の柱を構成する前記既製杭10へ挿入される挿入部115を備える、ことを特徴とする。
【００６４】
６．上記実施形態の支持構造1は、前記接続部1bが鉄骨部材11を備え、前記既製杭10は筒状体であり、前記直上階の柱の少なくとも下部も前記既製杭10で構成され、前記鉄骨部材11は鋼管柱部分111を含み、前記鋼管柱部分111内と、前記直上階の柱を構成する前記既製杭10内とに鉄筋コンクリートを設けてこれらを接合した、ことを特徴とする。
【００６５】
７．上記実施形態の支持構造1は、前記接続部1bが鉄骨部材11を備え、前記既製杭10及び前記鉄骨部材11は筒状体であり、前記鉄骨部材11は前記直上階の床スラブ3に接合され、前記鉄骨部材11及び前記既製杭10内には、前記直上階の床スラブ3のコンクリートの打設時または床スラブ3のコンクリートの打設に先だって充填されたコンクリートが打設されている、ことを特徴とする。
【００６６】
８．上記実施形態の支持構造1は、前記接続部1bがＰＣａ部材13を備え、前記ＰＣａ部材13は、その底面に凹部131を有し、前記既製杭10は、前記先端が鋼製キャップ14で被覆されて前記凹部131に当接する、ことを特徴とする。
【００６７】
９．上記実施形態の支持構造1は、前記接続部1bが鉄筋コンクリート造の部分15を備え、前記既製杭10には、前記先端から突出した鋼棒16が設けられ、前記鋼棒16は前記鉄筋コンクリート造の部分15に埋設される、ことを特徴とする。
【００６８】
１０．上記実施形態の支持構造1は、前記接続部1bがＰＣａ部材13と鉄筋コンクリート造の部分15とを備え、前記ＰＣａ部材13は、その底面に凹部131を有し、前記既製杭10には、前記先端から突出した鋼棒16と、前記先端を被覆する鋼製キャップ14とが設けられ、前記ＰＣａ部材13は、前記凹部131において、前記鋼棒16が通過する貫通孔135が設けられ、前記貫通孔135と前記鋼棒16との隙間には、前記鋼棒16の前記貫通孔135内での変位を許容する充填材135aが充填され、前記鋼棒16は前記ＰＣａ部材13を通過して前記鉄筋コンクリート造の部分15に埋設され、前記既製杭10は、前記鋼製キャップ14において前記凹部131に当接する、ことを特徴とする。
【００６９】
１１．上記実施形態の支持構造1は、前記接続部1bが、コンクリートが現場打ちされる鉄筋コンクリートで構成される、ことを特徴とする。
【図１】
2015021368.tif 000003
【図２】
2015021368.tif 000004
【図３】
2015021368.tif 000005
【図４】
2015021368.tif 000006
【図５】
2015021368.tif 000007
【図６】
2015021368.tif 000008
【図７】
2015021368.tif 000009